(57)【要約】      （修正有）【課題】検体導入後に開口部に蓋をすることができ、かつ、点着した検体を確実に流路に導入することができるセンサーカードを提供すること。【解決手段】使い捨てセンサーカードは、検体を導入するための流路２となる溝が形成されたアッパーブロック１を、ロアーブロック１０と重ね合わせて内部に流路を形成して成るセンサーカードであって、流路の途中に、検体を光学的又は電気化学的に測定するための測定部２ｃが設けられ、流路の少なくとも上流部分が、高さ1000um以下に寸法決めされた毛細管流路２ａから成り、アッパーブロックの毛細管流路の上流端に相当する位置に検体を導入するための貫通口３が設けられ、毛細管流路が貫通口の周囲全域に形成されている。【選択図】図１
2014016242.tif 000002
【特許請求の範囲】
【請求項１】
検体を導入するための流路となる溝が形成されたアッパーブロックを、ロアーブロックと重ね合わせて内部に流路を形成して成るセンサーカードであって、
前記流路の途中に、検体を光学的又は電気化学的に測定するための測定部が設けられ、
前記流路の少なくとも上流部分が、高さ1000um以下に寸法決めされた毛細管流路から成り、
前記アッパーブロックの前記毛細管流路の上流端に相当する位置に検体を導入するための貫通口が設けられ、
前記毛細管流路が前記貫通口の周囲全域に形成されている
ことを特徴とするセンサーカード。
【請求項２】
前記アッパーブロックの外面の前記貫通口の周囲が平坦であり、かつ、前記ロアーブロックの前記貫通口に対応する部分が平坦である
ことを特徴とする請求項１に記載のセンサーカード。
【請求項３】
前記毛細管流路の壁面に、親水処理及び／又はヘパリンコート処理が施されている
ことを特徴とする請求項１又は２に記載のセンサーカード。
【請求項４】
アッパーブロックの前記貫通口の周囲に、少なくとも一つの前記補助貫通口が形成され、
ロアーブロックの前記補助貫通口に対応する部分には余剰検体収容部が形成されている
ことを特徴とする請求項１〜３の何れか一項に記載のセンサーカード。
【請求項５】
前記アッパーブロック及びロアーブロックにおける前記貫通口及びその周囲に対応する部分が透明又は半透明である
ことを特徴とする請求項１〜４の何れか一項に記載のセンサーカード。
【発明の詳細な説明】
【技術分野】
【０００１】
本発明は、検体中の物質成分等の測定や分析を行うために用いられる使い捨てセンサーカードの構造に関する。
【背景技術】
【０００２】
従来から、検体中物質成分等の測定又は分析を行うためにセンサーカード内部に検体が通る流路を設け、その流路の途中に電気化学的又は光学的に成分等を測定するための測定部を設けて成る使い捨てのセンサーカードが提案されている。
図５は、従来のセンサーカードの概略上面図であり、図６は、図５に示したセンサーカードのＣ−Ｃ断面図である。
図面に示すように、従来のセンサーカードは、アッパーブロック２０及びロアーブロック２１を重ね合わせて成り、アッパーブロック２０に毛細管流路２２となる溝が形成されている。前記アッパーブロック２０の流路２２の上流端に相当する位置には検体を導入するための貫通口２３が形成されている。
前記流路２２の途中には、流路２２を通って供給される検体を電気化学的又は光学的に測定するための測定部が設けられている。
上記したように構成された従来のセンサーカードでは、貫通口２３は流路２２の上流端に設けられ、貫通口２３の内壁下部の約前方半周部分が前記流路２２に接続されており、貫通口２３の内壁下部の前記前方半周部分以外の部分（即ち、内壁後方部分）は、前記流路２２に接続されていない。
【先行技術文献】
【特許文献】
【０００３】
【特許文献１】特開２００９−２２９２４３号公報
【発明の概要】
【発明が解決しようとする課題】
【０００４】
上記した従来のセンサーカードは、患者の指先または耳朶を針等で穿刺して出血させ、その血液を前記貫通口２３に点着することにより血液が貫通口２３の内壁前方部分を介して流路２２に至り、毛細管現象によって血液は流路２２に導入される。
しかし、上記した従来のセンサーカードには下記のような問題がある。
即ち、従来のセンサーカードは、上記したように、貫通口２３の内壁後方部分は流路２２に接続されていないため、貫通口２３の後方部分に血液を点着した場合、血液が貫通口２３の後方部分に溜まって流路２２に接触しないことがあり（図７参照）、その結果、血液が流路２２に導入されないことがあるという問題がある。
上記した問題を解決することができるセンサーカードとして、特許文献１に記載の検体点着流路構造が提案されている。
図８は、特許文献１に記載の検体点着流路構造の概略上面図、図９は、図８のＤ−Ｄ断面図を各々示している。
この検体点着流路構造は、カバープレート３１とベースプレート３２とを有し、ベースプレート３２には、毛細管キャビティ３５、保持チャンバ３６、流路３８、測定チャンバ３７、流路３９及び大気開放孔４０が形成されている。また、毛細管キャビティ３５の上流端にはベースプレート３２の上面から上方に向かって突出する先端が半球形状の円柱状点着部３３が形成されており、ベースプレート３２にカバープレート３１を取り付けた時にカバープレート３１に設けられたリブ付きの注入口３４から前記点着部３３が突出するように構成されている。
この従来の検体点着流路構造は、前記したように毛細管キャビティ３５に繋がる点着部３３がカバープレート１１から突出し、かつ、点着部３３の先端が半球形状に形成されているので、例えば、穿刺して出血させた指先を点着部３３に点着すると、血液が半球状の点着部３３を伝い流れて毛細管キャビティ３５に至るため血液が毛細管キャビティ３５に導入されないことがない。
しかし、上記した検体点着流路構造は、検体の導入後に注入口３４にシール等を貼って蓋をしなければならない場合には、注入口３４から突出した点着部３３が邪魔になって蓋をすることができないという問題がある。
本発明は、上記した従来の問題点を解決し、検体導入後に開口部に蓋をすることができ、かつ、点着した検体を確実に流路に導入することができるセンサーカードを提供することを目的としている。
【課題を解決するための手段】
【０００５】
上記した目的を達成するために、本発明に係る使い捨てセンサーカードは、検体を導入するための流路となる溝が形成されたアッパーブロックを、ロアーブロックと重ね合わせて内部に流路を形成して成るセンサーカードであって、前記流路の途中に、検体を光学的又は電気化学的に測定するための測定部が設けられ、前記流路の少なくとも上流部分が、高さ1000um以下、望ましくは500um以下に寸法決めされた毛細管流路から成り、前記アッパーブロックの前記毛細管流路の上流端に相当する位置に検体を導入するための貫通口が設けられ、前記毛細管流路が前記貫通口の周囲全域に形成されていることを特徴とする。
前記アッパーブロックの外面の前記貫通口の周囲は平坦であり得、かつ、前記ロアーブロックの前記貫通口に対応する部分も平坦であり得る。
好ましくは、前記毛細管流路の壁面に、親水処理及び／又はヘパリンコート処理が施され得る。
また、前記アッパーブロックの前記貫通口の周囲に、少なくとも一つの前記補助貫通口を形成し、ロアーブロックの前記補助貫通口に対応する部分に余剰検体収容部１２を形成してもよい。
さらに、前記アッパーブロック及びロアーブロックにおける前記貫通口及びその周囲に対応する部分は、透明又は半透明であり得る。
【発明の効果】
【０００６】
本発明に係る使い捨てセンサーカードは、検体を導入するための流路となる溝が形成されたアッパーブロックを、ロアーブロックと重ね合わせて内部に流路を形成して成るセンサーカードであって、前記流路の途中に、検体を光学的又は電気化学的に測定するための測定部を設け、前記流路の少なくとも上流部分が、高さ1000um以下、望ましくは500um以下に寸法決めされた毛細管流路から成り、前記アッパーブロックの前記毛細管流路の上流端に相当する位置に検体を導入するための貫通口を設け、前記毛細管流路を前記貫通口の周囲全域に形成しているので、貫通口の下部全周が毛細管流路に直接つながっている。これにより、検体が貫通口のどの部分に点着されても、検体は確実に貫通口の壁面を介して毛細管流路に接触して導入されることになるという効果を奏する。
前記アッパーブロックの外面の前記貫通口の周囲を平坦にし、かつ、前記ロアーブロックの前記貫通口に対応する部分を平坦にすることで、アッパーブロックの上面に突出した部分がなくなるので、点着後に貫通口をシール等で封鎖することが可能になる。
また、前記アッパーブロックの前記貫通口の周囲に、少なくとも一つの前記補助貫通口を形成し、ロアーブロックの前記補助貫通口に対応する部分に余剰検体収容部を形成することにより、点着時に貫通口から検体が溢れてしまった場合であっても、溢れた検体を、前記補助貫通口を介して余剰検体収容部に収容することが可能になる。
さらに、前記アッパーブロック及びロアーブロックにおける前記貫通口及びその周囲に対応する部分を、透明又は半透明に形成することにより、センサーカードの下方に指等をもってきても、又はセンサーカードを指等に近づけても、センサーカードを通して指の位置を確認することができ、また、センサーカード自身の貫通口の位置、および血液が流路へ導入される様子を確認することが可能になる。これにより、例えば、センサーカードを、その挿入口を下にして持って、出血させた患者の指、特に寝込んでいる患者の指に、センサーカードの貫通口を近づけて血液を点着させることが可能になる。また、同様な要領で、患者の耳朶から採血する場合も、出血させた耳朶に近づけ点着させることが容易となる。
【図面の簡単な説明】
【０００７】
【図１】本発明に係るセンサーカードの概略上面図
【図２】アッパーブロックの概略上面図
【図３】ロアーブロックの概略上面図
【図４】図１におけるＡ−Ａ断面図
【図５】従来のセンサーカードの概略上面図である。
【図６】図５に示したセンサーカードのＣ−Ｃ断面図である。
【図７】血液が貫通口２３の後方部分に溜まった状態を示す図である。
【図８】特許文献１に記載のセンサーカードの概略上面図である。
【図９】図８のＤ−Ｄ断面図である。
【発明を実施するための形態】
【０００８】
以下、添付図面を参照して本発明に係るセンサーカードの実施の形態を説明していく。
【０００９】
図１は、本発明に係るセンサーカードの概略上面図、図２はアッパーブロックの概略上面図、そして、図３はロアーブロックの概略上面図をそれぞれ示している。
図２に示すように、アッパーブロック１には、流路２を構成するための溝が形成されている。この流路２は、毛細管現象により検体を導入する毛細管流路２ａと、導入した検体を一時的に溜める検体溜部２ｂと、センサ等が設けられた測定部２ｃとから成り、流路２の下流端はロアーブロック１０に設けられた廃液部１１に繋がる。
また、アッパーブロック１の前記流路２の上流端には点着口を構成するための貫通口３が形成されている。
前記毛細管流路２ａは、毛細管現象を生じさせることができる程度に浅い溝で構成され、かつ、前記貫通口３の全周を囲むように形成されている。
また、アッパーブロック１における前記貫通口３の周囲には、６つの補助貫通口４が設けられており、かつ、ロアーブロック１０の前記補助貫通口４に対応する位置には余剰検体を収容する収容部１２が形成されている。これにより、検体点着時に点着口３から検体が溢れてしまった場合でも、溢れた検体が前記補助貫通口４からロアーブロック１０の収容部１２に流れ込むため、その後に点着口３と共に補助貫通口４をシール等で封鎖することで、余剰検体を外部に漏らさずに収容することが可能になる。
図２中、符号５はアッパーブロック１に設けられた空気供給通路を示しており、この空気供給通路５は、その下流端が前記流路２に接続され、その上流端がロアーブロック１０に形成された空気供給通路１３に接続されている。前記ロアーブロック１０に形成された空気供給通路１３は、ロアーブロック１０に形成された空気袋収容凹部１４に接続され、アッパーブロック１の空気袋収容凹部１４に対向する部分には空気袋押圧用開口６が形成されている。
また、図２中、符号７はアッパーブロック１に設けられた校正液供給通路を示しており、この校正液供給通路７は、その下流端が前記流路２に接続され、その上流端がロアーブロック１０に形成された校正液供給通路１５に接続されている。前記ロアーブロック１０に形成された校正液供給通路１５は、ロアーブロック１０に形成された校正液袋収容凹部１６に接続され、アッパーブロック１の校正液袋収容凹部１６に対向する部分には校正液袋押圧用開口８が形成されている。
上記したように構成されたアッパーブロック１とロアーブロック１０とは、その間に、空気袋（図示せず）、校正液袋（図示せず）及び適当な測定部（図示せず）を挟んで重ねて結合され、センサーカードを形成する。
【００１０】
センサーカードは、図１に示す点線Ｂより下方部分が測定装置（図示せず）に挿入され、点線Ｂより上方部分が測定装置の外部に露出する。測定装置には、適当な押圧部材が設けられており、センサーカードを挿入すると、始めに押圧部材が校正液袋を押圧して、その内部の校正液を校正液供給通路１５及び７を介して流路２に送り、測定装置は該校正液を用いて測定部（図示せず）の校正を行う。
次いで、患者等の被測定者の指先や耳朶を穿刺して出血させ、指先や耳朶を点着口３と近づけて、その血液を点着口３に点着する。
ここで、図４に示すように、アッパーブロック１において、毛細管流路２ａが、貫通口３の全周を囲むように形成されているので、血液が点着口３の内壁のどの部分に点着されても、血液は点着口３の壁面を介して毛細管流路２ａに至り、確実に血液を流路２に導入することが可能になる。尚、毛細管流路２ａによって導入された血液は、検体溜部２ｂに溜まる。
この状態で、測定装置（図示せず）の押圧部材（図示せず）が空気袋収容凹部１４に収容された空気袋を押圧すると、空気袋の中の空気は空気共通通路１３及び５を介して流路２に送られ、前記検体溜部２ｂに溜まっていた血液が空気によって測定部２ｃに押し出される。
アッパーブロック１及びロアーブロック１０における点線Ｂより上方部分、即ち、点着口３が設けられている部分は、好ましくは、透明又は半透明である。このように点着口３が設けられている部分を透明又は半透明にすることにより、指又は耳朶にセンサーカードを近づけても、点着口３の位置及び血液の位置を、センサーカードを通して正確に把握することが可能になるので、点着口３を下にして指又は耳朶の上から近づけて点着を行うことも可能になる。この構成は、寝込んでいる患者が、出血させた指をセンサーカードへ点着することが困難であることから、医師や看護師等の病院スタッフがセンサーカードを持って患者から血液を点着する場合には特に有効である。
【符号の説明】
【００１１】
１  アッパーブロック
２  流路
２ａ  毛細管流路
２ｂ  検体溜部
２ｃ  測定部
３  貫通口（点着口）
４  補助貫通口
５  空気供給通路
６  空気袋押圧用開口
７  校正液供給通路
８  校正液袋押圧用開口
１０  ロアーブロック
１１  廃液部
１２  余剰検体収容部
１３  空気供給通路
１４  空気供給用凹部
１５  校正液供給通路
１６  校正液袋押圧用開口
２０  アッパーブロック
２１  ロアーブロック
２２  毛細管流路
２３  貫通口
３１  カバープレート
３２  ベースプレート
３３  点着部
３４  リブ付き注入口
３５  毛細管キャビティ
３６  保持チャンバ
３７  測定チャンバ
３８  流路
３９  流路
４０  大気開放孔
【図１】
2014016242.tif 000003
【図２】
2014016242.tif 000004
【図３】
2014016242.tif 000005
【図４】
2014016242.tif 000006
【図５】
2014016242.tif 000007
【図６】
2014016242.tif 000008
【図７】
2014016242.tif 000009
【図８】
2014016242.tif 000010
【図９】
2014016242.tif 000011